(57)【特許請求の範囲】
【請求項１】
取付本体と、この取付本体に固着した回転機構と、この回転機構に設けたバー本体とからなり、前記回転機構が、３つの部材を、前記取付本体の軸心に実質的に平行な線上で、折り曲げ可能に連結したものであって、第一部材が、前記取付本体に固定されており、それに続く第二部材が、第一軸ピンを介して第一部材の先端に正方向にのみ回転可能に取り付けられ、第三部材が、第二部材の先端に第二軸ピンを介して、逆方向にのみ回転可能に取り付けられており、この第三部材に前記バー本体の根元が固定されており、且つ前記第一軸ピンと第二軸ピンに設けた弾性部材が、前記第二部材と第三部材を定位置に戻すように機能するものであることを特徴とする回転式バーユニット。
【請求項２】
前記取付本体が、スリーブ状部材から成ることを特徴とする請求項１に記載の回転式バーユニット。
【発明の詳細な説明】
【０００１】
【産業上の利用分野】
この発明は、コーンや単管足場などに取り付ける開閉式バーユニットに関する。
【０００２】
【従来の技術】
周知の通り、建築工事や道路工事などの際、路上にコーンを設置し、車両や歩行者などが工事区域を認識可能にする。そして、隣接する各コーンを、コーンバーで繋げて、作業者以外の者が作業エリアに進入しないようにしている。このコーンバーは、両端にリング部材が設けられており、このリング部材をコーン頭部に嵌めて固定するため、作業者が作業エリアを出入する際、バーをその都度取外すか、バーを跨がなければならない。さらに、コーンバーの改良発明は種々存在するが（例えば、特許文献１参照）、開閉式のコーンバーは発見できない。また、作業エリアの仮囲いのための仮設ゲートもある（例えば、特許文献２参照）。しかし、この仮設ゲートは、扉本体が折畳み可能なアコーディオンドアのように形成されており、比較的大掛かりな構造であるため、運搬や設置など取り扱いが困難であるという問題がある。
【０００３】
【特許文献１】
特開２０００−３４７１２号公報
【特許文献２】
特開平８−１６５８７２号公報
【０００４】
【発明が解決しようとする課題】
本発明は、前記した問題点に鑑み、コーンや単管足場に簡単に設置することができ、取り扱いが容易な開閉式バーユニットを提供することを目的とする。
【０００５】
【課題を解決するための手段】
本発明の開閉式バーユニットは、取付本体と、この取付本体に固着した回転機構と、この回転機構に設けたバー本体とからなり、回転機構が、３つの部材を、取付本体の軸心に実質的に平行な線上で、折り曲げ可能に連結したものであって、第一部材が、取付本体に固定されており、それに続く第二部材が、第一軸ピンを介して第一部材の先端に正方向にのみ回転可能に取り付けられ、第三部材が、第二部材の先端に第二軸ピンを介して、逆方向にのみ回転可能に取り付けられており、この第三部材にバー本体の根元が固定されており、且つ第一軸ピンと第二軸ピンに設けた弾性部材が、第二部材と第三部材を定位置に戻すように機能するものであることを特徴とする。
【０００６】
好ましくは、前記取付本体がスリーブ状部材である。
【０００８】
【発明の実施の形態】
以下、本発明に係る開閉式バーユニットの一実施例を、添付図面に基づいて詳細に説明する。
【０００９】
図１は、開閉式バーユニットを示す説明図であって、Ａは斜視図、Ｂは平面図である。この開閉式バーユニットは、取付本体１と、この取付本体１に固着した回転機構２と、この回転機構２に設けたバー本体３とで構成され、この回転機構２が、バー本体３を正逆方向に回転可能にする。以下、各構成要素について、詳細に説明する。取付本体１は、径の大きな第一スリーブ１０と、径の小さな第ニスリーブ１１とからなり、第一スリーブ１０に、ジョイント部材２７を介して、アングル状の第一プレート２０の一片部２０ａが取り付いている。
【００１０】
この第一プレートの折れ線が、取付本体１の軸心に平行に取り付いており、第一プレート２０の他片部２０ｂの一側縁には、第一軸ピン２１を介して、第二プレート２３の一縁部が軸支しており、第ニプレート２３が、第一軸ピン２１を中心に、正方向にのみ回転可能になっている。そして、この第一軸ピン２１には、コイルバネ２２が設けられており、定時では、第一プレート２０の他片部２０ｂと第ニプレート２３とが平行に対向して位置する。
【００１１】
第ニプレート２３の他側縁には、第二軸ピン２４を介して、第三プレート２６の一側縁が軸支しており、第三プレート２６が、第二軸ピン２４を中心に、逆方向にのみ回転可能になっている。そして、この第二軸ピン２４にも、コイルバネ２５が設けられており、定時では、第ニプレート２３と第三プレート２６とが直角に位置する。
【００１２】
さらに、第三プレート２６には、垂直にのびるスリーブ状のバー保持部３０が設けられており、このバー保持部３０にバー本体３を挿入し、ボルトなどの取付金具３１で、バー保持部３０にバー本体３を固定する。すなわち、使用状態に応じて、バー本体３を短尺なものや長尺なものに取り替え可能である。
【００１３】
次に、バー本体３を回転する際の動作について説明する。図２は、開閉式バーユニットの回転状態を示す説明図であって、Ａは定時の平面図、Ｂ及びＣは回転時の平面図である。図２Ａに示す状態から、バー本体３を反時計方向（正方向）に回転することにより、図２Ｂに示すように、第二プレート２３が、第一軸ピン２１を中心に、時計方向（正方向）に回転し、そして、バー本体３の回転を解除すると、コイルバネ２２の弾性付勢力により、図２Ａ示す状態に戻る。ここで、第二プレート２３は、時計方向（正方向）にのみ回転可能であって、反時計方向（逆方向）には回転しないよう構成されている。
【００１４】
また、図２Ａに示す状態から、バー本体３を時計方向（逆方向）に回転することにより、図２Ｃに示すように、第三プレート２６が、第二軸ピン２４を中心に、反時計方向（逆方向）に回転し、そして、バー本体３の回転を解除すると、コイルバネ２５の弾性付勢力により、図２Ａ示す状態に戻る。ここで、第三プレート２６は、反時計方向（逆方向）にのみ回転可能であって、時計方向（正方向）には回転しないよう構成されている。
【００１５】
図３は、この開閉式バーユニットをコーン１００頭部に取り付けた斜視図を示す。図３Ａに示す通り、この開閉式バーユニットを頭部に取り付けたコーン１００を２つ準備し、各バー本体３，３’の先端を突き合わせることにより、作業エリアを囲うことができる。そして、作業エリアから出入りする際、図３Ｂ及びＣに示す通り、バー本体３，３’を回転することにより、作業エリアからの出入を可能とする。図３Ｂは、バー本体３，３’を一方向に回転させた状態を示し、図３Ｃは、バー本体３，３’を他方向に回転させた状態を示す。
【００１６】
図４は、開閉式バーユニットの使用態様を示す。図４Ａに示す通り、頭部がカットされたコーン１００は、円状の開口部１０１を形成するため、この開口部１０１に、開閉式バーユニットの第ニスリーブ１１を挿入することにより、開閉式バーユニットをコーン１００頭部に取り付けることができる。さらに、開閉式バーユニットの第一スリーブ１０に、危険を防止するための表示プレート１０５を取り付けることもできる。また、図４Ｂに示す通り、足場などの単管２００に、リング部材２０１を取り付け、このリング部材２０１に、開閉式バーユニットの第ニスリーブ１１を挿入して、取り付けることもできる。さらに、図示していないが、警告灯なども第一スリーブ１０に取り付けることも可能である。
【００１７】
【発明の効果】
本発明によれば、バー本体が正逆方向に回転可能であるため、従来のように、バー本体をいちいち取外す必要なく、作業者が作業エリアを出入り可能である。さらに、バー本体を回転して作業エリアから出入りした後、コイルバネの弾性付勢力によって、作業者がバー本体を戻す手間なく回転前の状態に戻る。また、この開閉式バーユニットは、コーンだけではなく、単管足場やゲート支柱などにも設置可能であるため、用途範囲が広いという利点もある。そして、この開閉式バーユニットの上部に、表示プレートや警告灯などを設置することもできる。
【図面の簡単な説明】
【図１】本発明の一実施例を示す説明図である。
【図２】本発明の回転状態を示す説明図である。
【図３】本発明をコーンに取り付けた状態を示す斜視図である。
【図４】本発明の使用態様を示す説明図である。
【符号の説明】
１  取付本体
２  回転機構
３  バー本体
１０  第一スリーブ
１１  第ニスリーブ
２０  第一プレート
２１  第一軸ピン
２２  コイルバネ
２３  第ニプレート
２４  第二軸ピン
２５  コイルバネ
２６  第三プレート
【図１】
0003640253.tif 000002
【図２】
0003640253.tif 000003
【図３】
0003640253.tif 000004
【図４】
0003640253.tif 000005